(57)【要約】【課題】  少ない資源で効率的に動力を発生できる動力発生装置を提供する。【解決手段】  被付勢体２０は、永久磁石２１および永久磁石１４の磁力により、底部１２ａに向けて付勢されている。底部１２ａに向けての被付勢体２０の移動力は、歯車４２と歯車４４および歯車４６との噛み合いにより規制され、歯車４４、歯車４２および歯車４６の回転力に変換される。【選択図】  図１
2006042571.tif 000002
【特許請求の範囲】
【請求項１】
磁力により所定の方向に付勢された被付勢体と、
前記被付勢体に固定された第１の回転軸を中心に回転可能な第１の歯車と、
所定の位置に固定された第２の回転軸を中心に、前記第１の歯車と噛み合って回転し、前記所定の方向における前記第１の歯車の移動を規制する第２の歯車と、
所定の位置に固定された第３の回転軸を中心に前記第１の歯車と噛み合って回転し、前記所定の方向における前記第１の歯車の移動を規制する第３の歯車と
を有する動力発生装置。
【請求項２】
前記第２の回転軸および前記第３の回転軸は、前記磁力による前記被付勢体の前記所定の方向における移動力を、前記第１の歯車、前記第２の歯車および前記第３の歯車の連動した回転として作用する位置に固定されている
請求項１に記載の動力発生装置。
【請求項３】
前記第１の歯車および前記第３の歯車には、前記第１の歯車および前記第３の歯車を同じ所定の一方向にのみ回転させるストッパーが設けられている
請求項１または請求項２に記載の動力発生装置。
【請求項４】
前記第１の歯車を外に出した状態で前記被付勢体を収容する収容部と、
前記収容部に前記被付勢体を収容した状態で、前記被付勢体に固定された第１の磁石と磁力により引き合う第２の磁石と
を備えた支持体
をさらに有する請求項１に記載の動力発生装置。
【発明の詳細な説明】
【技術分野】
【０００１】
本発明は、磁力を利用して動力を発生する動力発生装置に関する。
【背景技術】
【０００２】
車両を駆動させたり、電気を生成させるために動力が必要である。
従来、このような動力は、石油などの資源を燃焼させて発生している。
【発明の開示】
【発明が解決しようとする課題】
【０００３】
しかしながら、資源の効率的利用の観点から、少ない資源で、動力を効率的に発生したいという要請がある。
【０００４】
本発明は、上述した従来技術に鑑みてなされ、少ない資源で効率的に動力を発生できる動力発生装置を提供することを目的とする。
【課題を解決するための手段】
【０００５】
上述した従来技術の問題点を解決し、上述した目的を達成するため、本発明の動力発生装置は、磁力により所定の方向に付勢された被付勢体と、前記被付勢体に固定された第１の回転軸を中心に回転可能な第１の歯車と、所定の位置に固定された第２の回転軸を中心に、前記第１の歯車と噛み合って回転し、前記所定の方向における前記第１の歯車の移動を規制する第２の歯車と、所定の位置に固定された第３の回転軸を中心に前記第１の歯車と噛み合って回転し、前記所定の方向における前記第１の歯車の移動を規制する第３の歯車とを有する。
【０００６】
また、本発明の動力発生装置は、好ましくは、前記第２の回転軸および前記第３の回転軸は、前記磁力による前記被付勢体の前記所定の方向における移動力を、前記第１の歯車、前記第２の歯車および前記第３の歯車の連動した回転として作用する位置に固定されている。
また、本発明の動力発生装置は、好ましくは、前記第１の歯車および前記第３の歯車には、前記第１の歯車および前記第３の歯車を同じ所定の一方向にのみ回転させるストッパーが設けられている。
また、本発明の動力発生装置は、好ましくは、前記第１の歯車を外に出した状態で前記被付勢体を収容する収容部と、前記収容部に前記被付勢体を収容した状態で、前記被付勢体に固定された第１の磁石と磁力により引き合う第２の磁石とを備えた支持体をさらに有する。
【発明の効果】
【０００７】
本発明によれば、少ない資源で効率的に動力を発生できる動力発生装置を提供することができる。
【発明を実施するための最良の形態】
【０００８】
以下、本発明の実施形態に係わる動力発生装置ついて説明する。
〔第１実施形態〕
以下、図１および図２を参照して本実施形態の動力発生装置について説明する。
被付勢体２０が本発明の被付勢体に対応している。
また、回転軸３２が本発明の第１の回転軸に対応し、回転軸３４が本発明の第２の回転軸に対応し、回転軸３６が本発明の第３の回転軸に対応している。
また、歯車４２が本発明の第１の歯車に対応し、歯車４４が本発明の第２の歯車に対応し、歯車４６が本発明の第３の歯車に対応している。
【０００９】
図１は、本発明の実施形態の動力発生装置１の側面から見た構成図である。
図１に示すように、動力発生装置１は、例えば、支持台１０、被付勢体２０、歯車４２、歯車４４、歯車４６を有する。
支持台１０は、例えば、設置面に固定されており、被付勢体２０を収容する収容部１２を有する。すなわち、図１に示す例では、図中下向きに重力が働いている。
収容部１２の底部１２ａには、永久磁石１４が固定されている。
永久磁石１４のＮ極は底部１２ａに接合され、永久磁石１４のＳ極は被付勢体２０の永久磁石２１のＮ極と対向して位置する。
【００１０】
被付勢体２０の一端には、永久磁石２１が固定されている。
永久磁石２１のＮ極は、永久磁石１４のＳ極と所定の距離を隔てて対向して位置する。  すなわち、永久磁石２１は、永久磁石１４と磁力により引き合い、永久磁石１４に向けて付勢されている。
被付勢体２０の永久磁石２１は、支持台１０の収容部１２内に収容されている。
また、被付勢体２０には、回転軸３２が固定されている。
回転軸３２には、歯車４２が回転自在に装着されている。
歯車４２は、被付勢体２０が支持台１０の収容部１２に収容された状態で、収容部１２の外部に位置している。
【００１１】
被付勢体２０が収容部１２に収容された状態で、回転軸３２の周囲に回転軸３４が位置する。
また、被付勢体２０に対して回転軸３２と反対側に回転軸３６が位置する。
回転軸３２および回転軸３６は、支持台１０、あるいは所定の支持体に固定されており、支持台１０に対して所定の位置に位置決めされている。
【００１２】
回転軸３４には歯車４４が回転自在に装着されている。
また、回転軸３６には、歯車４６が回転自在に装着されている。
歯車４４および歯車４６の歯は、被付勢体２０が収容部１２に収容された状態で、歯車４２の歯と噛み合っている。
これにより、磁力および重力による被付勢体２０がの移動が規制され、被付勢体２０は所定の位置に保持される。
動力発生装置１では、歯車４４および歯車４６の各々には、図２中矢印の向き（時計回り）にのみ回転するようにストッパ−が設けられている。
【００１３】
以下、図１に示す動力発生装置１の動作例を説明する。
永久磁石２１のＮ極は、永久磁石１４のＳ極および重力により、永久磁石１４に向けて強い力で付勢されている。すなわち、被付勢体２０が永久磁石１４に向けて強い力で付勢されている。
これにより、歯車４２が永久磁石１４に向けて強い力で付勢される。
歯車４２の歯と、歯車４４および歯車４６の歯とは噛み合っているため、歯車４２の歯が、歯車４４の歯に歯車４４を時計回りに回転させる向きに力を加えると共に、歯車４６の歯に歯車４６を逆時計回りに回転させる向きに力を加える。
このとき、上述したように、歯車４４および歯車４６の各々には、時計回りにのみ回転するようにストッパ−が設けられているため、歯車１４４が時計回りに回転し、それに応じて歯車４２が逆時計回りに回転する。
そして、歯車４６が、歯車４２に連動して時計回りに回転する。
【００１４】
以上説明したように、動力発生装置１によれば、歯車４２が磁力および重力により収容部１２に向けて付勢される力を歯車４４の回転力に変換させることで、上記付勢される力に応じて回転加速度を歯車４２，４４，４６に与えることができる。
このとき、回転軸３２，３４，３６に生じる摩擦力および空気抵抗等を考慮しても、歯車４２，４４，４６の回転に加速度を持たせることができる。
なお、上述した実施形態では、図１および図２に示すように、被付勢体２０が受ける磁力と重力とが同一方向の場合を例示したが、動力発生装置１を横に置くことで、重力と直交する方向に磁力を働かせてもよい。
【００１５】
〔第２実施形態〕
図３および図４は、本発明の実施形態に係わる動力発生装置１０１の構成図である。
図３（Ａ）は動力発生装置１０１の正面図、図３（Ｂ）は図３（Ａ）の矢印Ａ側から見た動力発生装置１０１の側面図、図４は図３（Ａ）の矢印Ｂ側から見た動力発生装置１０１の側面図である。
図３および図４に示すように、動力発生装置１０１は、例えば、支持台１１０、被付勢体１２０、バネ１６０，１６１、歯車１４２ａ，１４２ｂ、歯車１４４ａ，１４４ｂ、歯車１４６ａ，１４６ｂを有する。
【００１６】
支持台１１０の底部は、例えば、設置面に固定されており、支持台１１０の上部には被付勢体１２０を収容する筒状の収容部１５０が取り付けられている。
また、支持台１１０の上部には、収容部１５０内に位置する被付勢体１２０の図中横方向のぶれを抑制するバネ１６０，１６１が設けられている。
被付勢体１２０の一端には永久磁石１２１が固定されている。
また、支持台１１０の底部には、永久磁石１１４が固定されている。
永久磁石１１４のＳ極が、永久磁石１２１のＮ極と対向して位置している。
これにより、永久磁石１２１が永久磁石１１４に向けて磁力および重力により付勢されている。
【００１７】
また、被付勢体２０には、収容部１５０の外部に両端が突き出た回転軸１３２が固定されている。
回転軸１３２には、被付勢体１２０に対して一方の側に歯車１４２ａが回転自在に装着されている。
また、回転軸１３２には、被付勢体１２０に対して他方の側に歯車１４２ｂが回転自在に装着されている。
【００１８】
また、被付勢体１２０に対して両側に、支持台１１０に固定された支持部１８０，１８２が設けられている。
支持部１８０には、回転軸１３４が固定されている。
回転軸１３４には、支持部１８０に対して一方の側に歯車１４４ａが回転自在に装着されている。
ここで、歯車１４４ａの歯は、歯車１４２ａの歯と噛み合っている。
また、回転軸１３４には、支持部１８０に対して他方の側に歯車１４４ｂが回転自在に装着されている。
ここで、歯車１４４ｂの歯は、歯車１４２ｂの歯と噛み合っている。
【００１９】
支持部１８２には、回転軸１３６が固定されている。
回転軸１３６には、支持部１８２に対して一方の側に歯車１４６ａが回転自在に装着されている。
ここで、歯車１４６ａの歯は、歯車１４２ａの歯と噛み合っている。
また、回転軸１３６には、支持部１８２に対して他方の側に歯車１４６ｂが回転自在に装着されている。
ここで、歯車１４６ｂの歯は、歯車１４２ｂの歯と噛み合っている。
【００２０】
本実施形態では、歯車１４２ａ，１４２ｂは、被付勢体１２０と一体となって永久磁石１１４に向けて付勢されるが、歯車１４４ａ，１４４ｂおよび歯車１４６ａ，１４６ｂとの歯の噛み合いにより、その移動が規制され、所定の位置に保持されている。
また、歯車１４４ａ，１４４ｂおよび歯車１４６ａ，１４６ｂの各々には、図２中矢印の向き（時計回り）にのみ回転するようにストッパ−が設けられている。
【００２１】
以下、図３および図４に示す動力発生装置１０１の動作例を説明する。
永久磁石１２１のＮ極は、永久磁石１１４のＳ極および重力により、永久磁石１１４に向けて強い力で付勢されている。すなわち、収容部１５０内で被付勢体１２０が永久磁石１４に向けて強い力で付勢されている。
これにより、歯車１４２ａ，１４２ｂが永久磁石１１４に向けて強い力で付勢される。
このとき、歯車１４２ａ，１４２ｂの歯と、歯車１４４ａ，１４４ｂおよび歯車１４６ａ，１４６ｂの歯とは噛み合っているため、歯車１４２ａ，１４２ｂの歯が、歯車１４４ａ，１４４ｂの歯に歯車１４４ａ，１４４ｂを時計回りに回転させる向きに力を加えると共に、歯車１４６ａ，１４６ｂの歯に歯車１４６ａ，１４６ｂを逆時計回りに回転させる向きに力を加える。
この場合に、上述したように、歯車１４４ａ，１４４ｂおよび歯車１４６ａ，１４６ｂの各々には、時計回りにのみ回転するようにストッパ−が設けられているため、歯車１４４ａ，１４４ｂが時計回りに回転し、それに応じて歯車１４２ａ，１４２ｂが逆時計回りに回転する。
そして、歯車１４６ａ，１４６ｂが、歯車１４２ａ，１４２ｂに連動して時計回りに回転する。
【００２２】
以上説明したように、動力発生装置１０１によれば、歯車１４２ａ，１４２ｂが磁力および重力により永久磁石１１４に向けて付勢される力を歯車１４４ａ，１４４ｂの回転力に変換させることで、上記付勢される力に応じて回転加速度を歯車１４２ａ，１４２ｂ，１４４ａ，１４４ｂ，１４６ａ，１４６ｂに与えることができる。
このとき、回転軸１３２，１３４，１３６に生じる摩擦力および空気抵抗等を考慮しても、歯車１４２ａ，１４２ｂ，１４４ａ，１４４ｂ，１４６ａ，１４６ｂの回転に加速度を持たせることができる。
なお、上述した実施形態では、図３および図４に示すように、被付勢体１２０が受ける磁力と重力とが同一方向の場合を例示したが、動力発生装置１０１を横に置くことで、重力と直交する方向に磁力を働かせてもよい。
【００２３】
本発明は上述した実施形態に限定されない。
例えば、第１実施形態および第２実施形態の永久磁石の極は、永久磁石２１が永久磁石１４に向けて磁力を受け、永久磁石１２１が永久磁石１１４に向けて磁力を受ければ特に限定されない。
【産業上の利用可能性】
【００２４】
本発明は動力を発生するシステムに適用可能である。
【図面の簡単な説明】
【００２５】
【図１】図１は、本発明の第１実施形態の動力発生装置の構成図である。
【図２】図２は、本発明の第１実施形態の動力発生装置を説明するための図である。
【図３】図３は、本発明の第２実施形態の動力発生装置の構成図である。
【図４】図４は、本発明の第２実施形態の動力発生装置の構成図である。
【符号の説明】
【００２６】
１０…支持台、１２…収容部、１４，２１…永久磁石、２０…被付勢体、３２，３４，３６…回転軸、４２，４４，４６…歯車、
１１０…支持台、１５０…収容部、１１４，１２１…永久磁石、１２０…被付勢体、１３２，１３４，１３６…回転軸、１４２ａ，１４２ｂ，１４４ａ，１４４ｂ，１４６ａ，１４６ｂ…歯車、１６０，１６１…バネ
【図１】
2006042571.tif 000003
【図２】
2006042571.tif 000004
【図３】
2006042571.tif 000005
【図４】
2006042571.tif 000006